(57)【特許請求の範囲】
【請求項１】
第１のタッチ表示部が設けられた第１の筐体と、
第２のタッチ表示部が設けられた第２の筐体と、
前記第１の筐体と前記第２の筐体とを回転可能に連結する連結部と、
前記第１のタッチ表示部及び第２のタッチ表示部に、他方のタッチ表示部の画面の表示状態を示す画面状態情報を表示する制御手段と、
を備えたことを特徴とする携帯型情報処理装置。
【請求項２】
前記制御手段は、前記第１の筐体に対する前記第２の筐体の角度θが１８０度＜θ≦３６０度の場合に、前記画面状態情報を表示することを特徴とする請求項１に記載の携帯型情報処理装置。
【請求項３】
前記画面状態情報は、画面の点灯及び消灯を示す情報を含むことを特徴とする請求項１又は請求項２に記載の携帯型情報処理装置。
【請求項４】
前記画面状態情報は、画面の表示内容を示す情報を含むことを特徴とする請求項１〜請求項３のいずれか１つに記載の携帯型情報処理装置。
【請求項５】
前記制御手段は、前記第１のタッチ表示部及び前記第２のタッチ表示部の少なくとも一方に対する入力操作に応じて、前記第１のタッチ表示部及び前記第２のタッチ表示部の少なくとも一方の画面の状態を切り替えることを特徴とする請求項１〜４のいずれか１つに記載の携帯型情報処理装置。
【請求項６】
前記画面の状態の切り替えは、画面の点灯、画面の消灯、及び表示画面の切り替えの少なくとも１つを含むことを特徴とする請求項５に記載の携帯型情報処理装置。
【請求項７】
前記制御手段は、前記第１のタッチ表示部及び前記第２のタッチ表示部の少なくとも一方に対するタッチする指の本数に基づいて、切り替える画面の内容を選択することを特徴とする請求項６に記載の携帯型情報処理装置。
【請求項８】
前記制御手段は、前記第１のタッチ表示部及び前記第２のタッチ表示部の少なくとも一方に対してタッチする指の本数に基づいて、プライマリ画面又はセカンダリ画面に表示を切り替えることを特徴とする請求項７に記載の携帯型情報処理装置。
【請求項９】
前記制御手段は、前記第１のタッチ表示部及び前記第２のタッチ表示部の少なくとも一方に対してタッチする指の本数に基づいて、前記第１のタッチ表示部に表示されている画面又は前記第２のタッチ表示部に表示されている画面に表示を切り替えることを特徴とする請求項７に記載の携帯型情報処理装置。
【請求項１０】
前記制御手段は、前記第１のタッチ表示部及び第２のタッチ表示部の少なくとも一方に対して、第１の入力操作が行われた場合には、前記第１のタッチ表示部及び第２のタッチ表示部に同一の画面を表示することを特徴とする請求項６〜請求項９のいずれか１つに記載の携帯型情報処理装置。
【請求項１１】
前記制御手段は、前記第１のタッチ表示部及び第２のタッチ表示部の少なくとも一方に対して、第２の入力操作が行われた場合には、前記第１のタッチ表示部及び第２のタッチ表示部に２画面表示を行うことを特徴とする請求項６〜請求項１０のいずれか１つに記載の携帯型情報処理装置。
【請求項１２】
第１のタッチ表示部が設けられた第１の筐体と、第２のタッチ表示部が設けられた第２の筐体とを回転可能に連結した携帯型情報処理装置の画面切り替え方法であって、
前記第１のタッチ表示部及び第２のタッチ表示部に、他方のタッチ表示部の画面の表示状態を示す画面状態情報を表示する工程を含むことを特徴とする携帯型情報処理装置の画面切り替え方法。
【請求項１３】
さらに、
前記第１のタッチ表示部及び前記第２のタッチ表示部の少なくとも一方に対する入力操作に応じて、前記第１のタッチ表示部及び前記第２のタッチ表示部の少なくとも一方の画面の状態を切り替える工程を含むことを特徴とする請求項１２に記載の携帯型情報処理装置の画面切り替え方法。
【請求項１４】
第１のタッチ表示部が設けられた第１の筐体と、第２のタッチ表示部が設けられた第２の筐体とを回転可能に連結した携帯型情報処理装置に搭載されたプログラムであって、
前記第１のタッチ表示部及び第２のタッチ表示部に、他方のタッチ表示部の画面の表示状態を示す画面状態情報を表示する工程をコンピュータに実行させることを特徴とするコンピュータが実行可能なプログラム。
【請求項１５】
さらに、
前記第１のタッチ表示部及び前記第２のタッチ表示部の少なくとも一方に対する入力操作に応じて、前記第１のタッチ表示部及び前記第２のタッチ表示部の少なくとも一方の画面の状態を切り替える工程を含むことを特徴とする請求項１４に記載のコンピュータが実行可能なプログラム。
【発明の詳細な説明】
【技術分野】
【０００１】
本発明は、携帯型情報処理装置、その画面切り替え方法、及びコンピュータが実行可能なプログラムに関する。  
【背景技術】
【０００２】
近時、スマートフォンやノートＰＣ等の携帯型情報処理装置では、２画面を有するものが普及している。２画面を有する携帯型情報処理装置では、第１の画面が配置された第１の筐体と、第２の画面が配置された第２の筐体とを回転可能に連結した構成となっており、第１の筐体に対して、第２の筐体を実質的に３６０度回転可能になっている。２画面を有する携帯型情報処理装置では、第１の画面と第２の画面が内側を向いて対向するクローズ構成、第１の画面と第２の画面が外側を向いて対向するベーシック構成、タブレット構成、テント構成、及びブック構成等の各種構成を取ることができる。
【０００３】
例えば、２画面を有する携帯型情報処理装置では、その構成によっては（例えば、テント構成やベーシック構成の場合等）、反対側の画面の表示状態を直接視認できない場合があり、反対側の画面にユーザが他人に見せたくない画像が表示されている場合等には、ユーザにとって望ましくない状況となる。そのため、ユーザは一方の画面を見て他方の画面の表示状態等を簡単に確認できるようにして、ユーザビリティを向上させることが望まれる。
【０００４】
また、１つの画面を有する携帯型情報処理装置では、画面の内容を切り替えるのは比較的簡単に行うことができるが、２画面を有する携帯型情報処理装置でも２つの画面の状態を簡単に切り替え可能として、ユーザビリティを向上させることが望まれる。
【先行技術文献】
【特許文献】
【０００５】
【特許文献１】特開２０１４−３３４９号公報
【特許文献２】特開２０１１−２３２８４３号公報
【発明の概要】
【発明が解決しようとする課題】
【０００６】
本発明は、上記に鑑みてなされたものであり、２画面を有する携帯型情報処理装置において、２つの画面に関するユーザビリティを向上させることが可能な携帯型情報処理装置、その画面切り替え方法、及びコンピュータが実行可能なプログラムを提供することを目的とする。
【課題を解決するための手段】
【０００７】
上述した課題を解決し、目的を達成するために、本発明は、第１のタッチ表示部が設けられた第１の筐体と、第２のタッチ表示部が設けられた第２の筐体と、前記第１の筐体と前記第２の筐体とを回転可能に連結する連結部と、前記第１のタッチ表示部及び第２のタッチ表示部に、他方のタッチ表示部の画面の表示状態を示す画面状態情報を表示する制御手段と、を備えたことを特徴とする。
【０００８】
また、本発明の好ましい態様によれば、前記制御手段は、前記第１の筐体に対する前記第２の筐体の角度θが１８０度＜θ≦３６０度の場合に、前記画面状態情報を表示することが望ましい。
【０００９】
また、本発明の好ましい態様によれば、前記画面状態情報は、画面の点灯又は消灯を示す情報を含むことが望ましい。
【００１０】
また、本発明の好ましい態様によれば、前記画面状態情報は、画面の表示内容を示す情報を含むことが望ましい。
【００１１】
また、本発明の好ましい態様によれば、前記制御手段は、前記第１のタッチ表示部及び前記第２のタッチ表示部の少なくとも一方に対する入力操作に応じて、前記第１のタッチ表示部及び前記第２のタッチ表示部の少なくとも一方の画面の状態を切り替えることが望ましい。
【００１２】
また、本発明の好ましい態様によれば、前記画面の状態の切り替えは、画面の点灯、画面の消灯、及び表示画面の切り替えの少なくとも１つを含むことが望ましい。
【００１３】
また、本発明の好ましい態様によれば、前記制御手段は、前記第１のタッチ表示部及び前記第２のタッチ表示部の少なくとも一方に対するタッチする指の本数に基づいて、切り替える画面の内容を選択することが望ましい。
【００１４】
また、本発明の好ましい態様によれば、前記制御手段は、前記第１のタッチ表示部及び前記第２のタッチ表示部の少なくとも一方に対してタッチする指の本数に基づいて、プライマリ画面又はセカンダリ画面に表示を切り替えることが望ましい。
【００１５】
また、本発明の好ましい態様によれば、前記制御手段は、前記第１のタッチ表示部及び前記第２のタッチ表示部の少なくとも一方に対してタッチする指の本数に基づいて、前記第１のタッチ表示部に表示されている画面又は前記第２のタッチ表示部に表示されている画面に表示を切り替えることが望ましい。
【００１６】
また、本発明の好ましい態様によれば、前記制御手段は、前記第１のタッチ表示部及び第２のタッチ表示部の少なくとも一方に第１のタッチ操作が行われた場合には、前記第１のタッチ表示部及び第２のタッチ表示部に同一の画面を表示することが望ましい。
【００１７】
また、本発明の好ましい態様によれば、前記制御手段は、前記第１のタッチ表示部及び第２のタッチ表示部の少なくとも一方に第２のタッチ操作が行われた場合には、前記第１のタッチ表示部及び第２のタッチ表示部に２画面表示を行うことが望ましい。
【００１８】
また、上述した課題を解決し、目的を達成するために、本発明は、第１のタッチ表示部が設けられた第１の筐体と、第２のタッチ表示部が設けられた第２の筐体とを回転可能に連結した携帯型情報処理装置の画面切り替え方法であって、前記第１のタッチ表示部及び第２のタッチ表示部に、他方のタッチ表示部の画面の表示状態を示す画面状態情報を表示する工程を含むことを特徴とする。
【００１９】
また、本発明の好ましい態様によれば、さらに、前記第１のタッチ表示部及び前記第２のタッチ表示部の少なくとも一方に対する入力操作に応じて、前記第１のタッチ表示部及び前記第２のタッチ表示部の少なくとも一方の画面の状態を切り替える工程を含むことが望ましい。
【００２０】
また、上述した課題を解決し、目的を達成するために、本発明は、第１のタッチ表示部が設けられた第１の筐体と、第２のタッチ表示部が設けられた第２の筐体とを回転可能に連結した携帯型情報処理装置に搭載されたプログラムであって、前記第１のタッチ表示部及び第２のタッチ表示部に、他方のタッチ表示部の画面の表示状態を示す画面状態情報を表示する工程をコンピュータに実行させることを特徴とする。
【００２１】
また、本発明の好ましい態様によれば、さらに、前記第１のタッチ表示部及び前記第２のタッチ表示部の少なくとも一方に対する入力操作に応じて、前記第１のタッチ表示部及び前記第２のタッチ表示部の少なくとも一方の画面の状態を切り替える工程を含むことが望ましい。
【発明の効果】
【００２２】
本発明によれば、２画面を有する携帯型情報処理装置において、２つの画面に関するユーザビリティを向上させることが可能となるという効果を奏する。  
【図面の簡単な説明】
【００２３】
【図１】図１は、本実施の形態にかかる携帯型情報処理装置の外観構成を示す斜視図である。
【図２−Ａ】図２−Ａは、携帯型情報処理装置１の各種状態を説明するための図であり、クローズ状態を示す図である。
【図２−Ｂ】図２−Ｂは、携帯型情報処理装置の各種状態を説明するための模式図であり、ブック状態を示す図である。
【図２−Ｃ】図２−Ｃは、携帯型情報処理装置の各種状態を説明するための模式図であり、クラムシェル状態を示す図である。
【図２−Ｄ】図２−Ｄは、携帯型情報処理装置の各種状態を説明するための模式図であり、タブレット状態を示す図である。
【図２−Ｅ】図２−Ｅは、携帯型情報処理装置の各種状態を説明するための模式図であり、テント状態を示す図である。
【図２−Ｆ】図２−Ｆは、携帯型情報処理装置の各種状態を説明するための模式図であり、ベーシック状態を示す図である。
【図３】図３は、携帯型情報処理装置のブロック図である。
【図４】図４は、画面状態情報の表示例を説明するための図である。
【図５−Ａ】図５−Ａは、画面切り替え処理の一例を説明するためのマトリクスを示す図である。
【図５−Ｂ】図５−Ｂは、画面切り替え処理の一例を説明するためのマトリクスを示す図である。
【図６】図６は、画面切り替え処理のユーザの操作例と画面表示例を説明するための図である。
【図７】図７は、画面切り替え処理のユーザの操作例と画面表示例を説明するための図である。
【図８】図８は、画面切り替え処理のユーザの操作例と画面表示例を説明するための図である。
【図９】図９は、制御部により実行される画面切り替え処理及び画面状態情報表示処理の一例を説明するためのフローチャートである。
【図１０】図１０は、画面切り替え処理の他の例を説明するための図である。
【図１１−Ａ】図１１−Ａは、携帯型情報処理装置が手で把持されている状態（テント状態の場合）を説明するための図である。
【図１１−Ｂ】図１１−Ｂは、携帯型情報処理装置が手で把持されている状態（ベーシック状態の場合）を説明するための図である。
【発明を実施するための形態】
【００２４】
以下に、この発明にかかる携帯型情報処理装置、その画面切り替え方法、及びコンピュータが実行可能なプログラムを図面に基づいて詳細に説明する。本発明の構成要素は、本明細書の図面に一般に示してあるが、様々な構成で広く多様に配置し設計してもよいことは容易に理解できる。したがって、本発明の装置、システム及び方法の実施形態についての以下のより詳細な説明は、特許請求の範囲に示す本発明の範囲を限定するものではなく、単に本発明の選択した実施形態の一例を示すものであって、特許請求の範囲に示す本発明と矛盾無く装置、システム及び方法についての選択した実施形態を単に示すものである。当業者は、特定の細目の１つ以上が無くても、又は他の方法、部品、材料でも本発明を実現できることが理解できる。また、フローチャートの各ステップを実行する順番はフローチャートに示す順番に限定されるものではなく、本発明の趣旨を逸脱しない範囲で順番を変更してもよい。なお、この実施の形態によりこの発明が限定されるものではない。また、下記実施の形態における構成要素には、当業者が容易に想定できるもの又は実質的に同一のものが含まれる。  
【００２５】
図１〜図３を参照して、本実施の形態にかかる携帯型情報処理装置の構成を説明する。本実施の形態にかかる携帯型情報処理装置は、２つのディスプレイを有する携帯型情報処理装置であり、例えば、ノートＰＣ，タブレット、スマートフォン、及びファブレット等である。
【００２６】
図１は、本実施の形態にかかる携帯型情報処理装置の外観構成を示す斜視図である。本実施の形態にかかる携帯型情報処理装置１は、第１の筐体１０と、第２の筐体２０と、を備えている。また、携帯型情報処理装置１は、第１の筐体１０と第２の筐体２０との間にヒンジ（連結部）３０を備えている。  
【００２７】
ヒンジ３０は、第１の筐体１０と第２の筐体２０とを回転可能に連結する。回転軸δに対する第１の筐体１０と第２の筐体２０との角度を「θ」と規定する。より詳細には、ヒンジ３０は、第１の筐体１０と第２の筐体２０とを回転軸δを中心に実質的に３６０度回転可能に連結する。携帯型情報処理装置１は、ヒンジ３０により各種状態を取ることが可能となっている。  
【００２８】
第１の筐体１０は、第１のタッチ表示部１１と、スピーカー１５と、第１の加速度センサ１７と、回路基板（不図示）を備えている。第１の筐体１０は、略矩形であり、第１のタッチ表示部１１が配置される第１の面１０Ａ、第１の面１０Ａに対向する第２の面１０Ｂ、短手方向の互いに対向する側面１０Ｃ、１０Ｄ、長手方向の互いに対向する側面１０Ｅ、１０Ｆを備えている。
【００２９】
第１のタッチ表示部１１は、第１の面１０Ａの略中央に配置されている。第１のタッチ表示部１１は、表示部１１ｂと、表示部１１ｂに重畳されたタッチパネル１１ａとを有する。第１のタッチ表示部１１は、表示部１１ｂに文字、図形、画像等の情報を表示するとともに、指、スタイラス、ペン等（以下、「指示体」と称する）を用いてタッチパネル１１ａに対して行われる各種操作を検出する。タッチパネル１１ａが各種操作を検出する方式は、静電容量式、感圧式等の方式を採用することができる。  
【００３０】
スピーカー１５は、側面１０Ｃに互いに近接して配置されている。第１の加速度センサ１７は、第１の筐体１０の内部に配置され、第１のタッチ表示部１１（第１の面１０Ａ）に対して、その長手方向に平行なＸ１方向、その短手方向に平行なＹ１方向、Ｘ１及びＹ１方向に垂直なＺ１方向の加速度を検出する。第１の加速度センサ１７がＸ１Ｙ１Ｚ１方向の加速度を検出することにより、後述するように、第１のタッチ表示部１１の向きを検出することができる。  
【００３１】
第２の筐体２０は、第２のタッチ表示部２１と、カメラ２２と、第２の加速度センサ２７と、回路基板（不図示）を備えている。  
【００３２】
第２の筐体２０は、略矩形であり、第２のタッチ表示部２１及びカメラ２２が配置される第１の面２０Ａ、第１の面２０Ａに対向する第２の面２０Ｂ、短手方向の互いに対向する側面２０Ｃ、２０Ｄ、長手方向の互いに対向する側面２０Ｅ、２０Ｆを備えている。  
【００３３】
第２のタッチ表示部２１は、第１の面２０Ａの略中央に配置されている。第２のタッチ表示部２１は、表示部２１ｂと、表示部２１ａに重畳されたタッチパネル２１ａとを有する。第２のタッチ表示部２１は、表示部２１ｂに文字、図形、画像等の情報を表示するとともに、指、スタイラス、ペン等（以下、「指示体」と称する）を用いてタッチパネル２１ａに対して行われる各種操作を検出する。タッチパネル２１ａが各種操作を検出する方式は、静電容量式、感圧式等の方式を採用することができる。  
【００３４】
カメラ２２は、第１の面２０Ａのタッチ表示部２１の上方に配置されている。カメラ２２は、ユーザの操作に応じて撮像処理を実行し、画像データや動画データを生成する。  
【００３５】
第２の加速度センサ２７は、第２の筐体２０の内部に配置され、第２のタッチ表示部２１に対して、その長手方向に平行なＸ２方向、その短手方向に平行なＹ２方向、Ｘ２及びＹ２方向に垂直なＺ２方向の加速度を検出する。第２の加速度センサ２７がＸ１Ｙ１Ｚ１方向の加速度を検出することにより、後述するように、第２のタッチ表示部２１の向きを検出することができる。  
【００３６】
図２−Ａ〜図２−Ｆは、携帯型情報処理装置１の各種状態を説明するための模式図である。携帯型情報処理装置１は、第１のタッチ表示部１１（第１の筐体１０の第１の面１０Ａ）と第２のタッチ表示部２１（第２の筐体２０の第１の面２０Ａ）の向きで規定される各種構成を取ることができる。  
【００３７】
図２−Ａは、クローズ（Ｃｌｏｓｅ）状態を示しており、角度θ＝０度で、第１のタッチ表示部１１と第２のタッチ表示部２１が内側を向いて対向する状態である。  
【００３８】
図２−Ｂは、ブック（Ｂｏｏｋ）状態を示しており、０度＜θ＜１８０度で、第１のタッチ表示部１１の側面１０Ｄ側と第２のタッチ表示部２１の側面２０Ｄ側が概ね鉛直方向の上方向側にある状態である。  
【００３９】
図２−Ｃは、クラムシェル（Ｃｌａｍｓｈｅｌｌ）状態を示しており、０度＜θ＜１８０度で、第１のタッチ表示部１１又は第２のタッチ表示部１２が概ね水平にある状態である。  
【００４０】
図２−Ｄは、タブレット（Ｔａｂｌｅｔ）状態を示しており、θ＝１８０度で、第１のタッチ表示部１１と第２のタッチ表示部２１が概ね面一にある状態である。  
【００４１】
図２−Ｅは、テント（Ｔｅｎｔ）状態を示しており、１８０度＜θ＜３６０度にある状態であり、第１のタッチ表示部１１の側面１０Ｅ側及び第２のタッチ表示部２１の側面２０Ｅ側が概ね鉛直方向の下方向側にある状態である。  
【００４２】
図２−Ｆは、ベーシック（Ｂａｓｉｃ）状態を示しており、角度θ＝３６０度で、第１のタッチ表示部１１と第２のタッチ表示部２１が外側を向いて対向する状態である。  
【００４３】
図３は、携帯型情報処理装置１の概略のブロック図である。携帯型情報処理装置１は、図３に示すように、第１のタッチ表示部１１と、第２のタッチ表示部２１と、スピーカー１５と、第１の加速度センサ１７と、第２の加速度センサ２７と、制御部１００と、メモリ１０１と、記憶部１０２と、通信部１０３と、電源部１０４と、を備えている。  
【００４４】
第２のタッチ表示部１１は、表示部１１ｂと、表示部１１ｂに重畳されたタッチパネル１１ａとを有する。タッチパネル１１ａは、指やペン等の指示体を用いてタッチパネル１１ａに対して行われた各種操作を、操作が行われた場所のタッチパネル１１ａ上での位置とともに検出し、制御部１００に通知する。タッチパネル１１ａによって検出される操作には、タッチ操作、スライド操作、及びピッチ操作が含まれる。表示部１１ｂは、例えば、液晶ディスプレイ（ＬＣＤ：Liquid  Crystal  Display）や有機ＥＬ（Organic  Electro−Luminescence）パネルなどで構成され、制御部１００の制御に従って文字や図形等を表示する。  
【００４５】
第２のタッチ表示部２１は、表示部２１ｂと、表示部２１ｂに重畳されたタッチパネル２１ａとを有する。タッチパネル２１ａは、指やペン等の指示体を用いてタッチパネル２１ａに対して行われた各種操作を、操作が行われた場所のタッチパネル２１ａ上での位置とともに検出し、制御部１００に通知する。タッチパネル２１ａによって検出される操作には、タッチ操作、スライド操作、及びピッチ操作が含まれる。表示部２１ｂは、例えば、液晶ディスプレイ（ＬＣＤ：Liquid  Crystal  Display）や有機ＥＬ（Organic  Electro−Luminescence）パネルなどで構成され、制御部１００の制御に従って文字や図形等を表示する。  
【００４６】
通信部１０３は、制御部１００の制御に従って、ネットワークを介して又は直接、無線又は有線で外部とデータ通信を行うためのものである。
【００４７】
スピーカー１５は、制御部１００の制御に従って動作し、制御部１００から送信される音声信号を音声として出力する。カメラ２２は、被写体を撮像して得られる画像データを制御部１００に出力する。電源部１０４は、制御部１００の制御に従って、蓄電池又はＡＣアダプタから得られる電力を、制御部１００を含む携帯型情報処理装置１の各機部へ供給する。      
【００４８】
第１の加速度センサ１７は、第１のタッチ表示部１１に対して、その長手方向に平行なＸ１方向、その短手方向に平行なＹ１方向、Ｘ１及びＹ１方向に垂直なＺ１方向の加速度を検出し、Ｘ１Ｙ１Ｚ１方向の加速度値Ａｘ１（ｔ）、Ａｙ１（ｔ）、Ａｚ１（ｔ）を、制御部１００に出力する。  
【００４９】
第２の加速度センサ２７は、第２のタッチ表示部２１に対して、その長手方向に平行なＸ２方向、その短手方向に平行なＹ２方向、Ｘ２及びＹ２方向に垂直なＺ２方向の加速度を検出し、Ｘ２Ｙ２Ｚ２方向の加速度値Ａｘ２（ｔ）、Ａｙ２（ｔ）、Ａｚ２（ｔ）を、制御部１００に出力する。  
【００５０】
メモリ１０１は、例えば、ＲＡＭやＤＲＡＭ等で構成されており、制御部１００によって実行されるプログラム、制御部１００が参照するデータ、制御部１００の演算結果等が一時的に記憶されるワークエリアとして使用される。  
【００５１】
記憶部１０２は、制御部１００によって実行されるプログラム（ＯＳ、アプリケーションプログラム、ドライバプログラム、及びユーティリティプログラム等を含む）やデータを保持するコンピュータで読み取り可能な記憶媒体であって、ＥＥＰＲＯＭやＳＳＤ等の不揮発性メモリである。  
【００５２】
制御部１００は、例えば、ＣＰＵ（Central  Processing  Unit）、マイクロプロセッサ、ＤＳＰ等であり、携帯型情報処理装置１の動作を統括的に制御して各種の機能を実現する。具体的には、制御部１００は、記憶部１０２に記憶されているデータやメモリ１０１に展開したデータを必要に応じて参照しつつ、記憶部１０２に記憶されているプログラムに含まれる命令を実行して、メール機能、Ｗｅｂブラウジング機能、及び表示機能等の各種機能を実現する。  
【００５３】
また、制御部１００は、第１の加速度センサ１７及び第２の加速度センサ２７の検出結果に基づいて、携帯型情報処理装置１の状態（ベーシック状態、クローズ状態、タブレット状態、テント状態、ブック状態、クラムシェル状態）を検出する。  
【００５４】
より具体的には、制御部１００は、第１の加速度センサ１７から出力されるＸ１Ｙ１Ｚ１方向の加速度値Ａｘ１（ｔ）、Ａｙ１（ｔ）、Ａｚ１（ｔ）に基づいて、第１のタッチ表示部１１の向きを判定し、また、第２の加速度センサ２７から出力されるＸ２Ｙ２Ｚ２方向の加速度値Ａｘ２（ｔ）、Ａｙ２（ｔ）、Ａｚ２（ｔ）に基づいて、第２のタッチ表示部２１の向きを判定し、さらに、第１のタッチ表示部１１及び第２のタッチ表示部２１の向きに基づいて、ベーシック状態、タブレット状態、テント状態、ブック状態、クラムシェル状態、及びクローズ状態を判別する。
【００５５】
制御部１００、第１の加速度センサ１７及び第２の加速度センサ２７は、携帯型情報処理装置１の状態を検出する状態検出手段として機能する。なお、携帯型情報処理装置１の状態を検出する方法はこれに限られるものはなく、他の方法を使用してもよく、例えば、筐体の開閉を検出するためのマグネット及びホール素子や、ヒンジ３０の回転角度を検出するための角度センサ等を使用してもよい。  
【００５６】
上述したように、制御部１００は表示機能を制御する。制御部１００は、検出した携帯型情報処理装置１の状態に応じて、第１のタッチ表示部１１及び第２のタッチ表示部２１に表示する画像の向きを変更する。また、制御部１００は、第１のタッチ表示部１１又は第２のタッチ表示部２１に対して、所定時間入力操作がない場合には、第１のタッチ表示部１１又は第２のタッチ表示部２１の画面を消灯する（表示部１１ｂ又は表示部２１ｂの画面をＯＦＦとし、タッチパネル１１ａ又はタッチパネル２１ａは稼働状態のままとし、第１のタッチ表示部１１又は第２のタッチ表示部２１の画面が消灯状態でも入力操作を受け付け可能な状態としてもよい）。また、制御部１００は、第１のタッチ表示部１１又は第２のタッチ表示部２１の画面を消灯する場合は、表示画面の情報をレジュームし、画面を再度点灯する場合にはレジュームした表示画面を復帰させる。
【００５７】
制御部１００は、例えば、Ｗｉｎｄｏｗｓ（登録商標）  ＯＳと同じように、拡張デスクトップ機能を備えており、第１のタッチ表示部１１及び第２のタッチ表示部２１をプライマリ画面（プライマリモニタ）又はセカンダリ画面（セカンダリモニタ）として設定可能となっている。ユーザは、拡張デスクトップの環境設定を行うための画面（不図示）で第１のタッチ表示部１１及び第２のタッチ表示部２１をプライマリ画面又はセカンダリ画面として設定可能となっており、制御部１００は、設定された内容に従って、第１のタッチ表示部１１及び第２のタッチ表示部２１をプライマリ画面又はセカンダリ画面に設定することができる。
【００５８】
また、制御部１００は、第１のタッチ表示部１１及び第２のタッチ表示部２１に、少なくとも他方のタッチ表示部の画面の表示状態を示す画面状態情報を表示する画面状態情報表示処理を実行する。画面状態情報は、画面の点灯及び消灯を示す情報を含むことにしてもよい。例えば、制御部１００は、第１のタッチ表示部１１及び第２のタッチ表示部２１に、第１のタッチ表示部１１の画面が点灯している場合には「１」、第２のタッチ表示部２１の画面が点灯している場合には「２」、他方のタッチ表示部が消灯している場合には「０」を表示することにしてもよい。
【００５９】
図４は、画面状態情報２００の表示例を説明するための図である。例えば、制御部１００は、第１のタッチ表示部１１の画面が点灯している場合には「１」、第２のタッチ表示部２１の画面が点灯している場合には「２」を表示する。他方のタッチ表示部が表示されていない場合は、「０」を表示する。例えば、図４に示すように、第１のタッチ表示部１１の画面と第２のタッチ表示部２１の両方の画面が消灯している場合には、第１のタッチ表示部１１の画面と第２のタッチ表示部２１に画面状態情報２００を表示しない（Ｓ５１）。第１のタッチ表示部１１の画面が点灯、第２のタッチ表示部２１の画面が消灯している場合には、第１のタッチ表示部１１に「１」、「０」の画面状態情報２００を表示する（Ｓ５２）。第１のタッチ表示部１１の画面が消灯、第２のタッチ表示部２１の画面が点灯している場合には、第２のタッチ表示部２１に「０」、「２」の画面状態情報２００を表示する（Ｓ５３）。第１のタッチ表示部１１の画面と第２のタッチ表示部２１の両方の画面が点灯している場合には、第１のタッチ表示部１１の画面と第２のタッチ表示部２１に「１」，「２」の画面状態情報２００を表示する（Ｓ５４）。画面状態情報は、画面のどの位置に表示してもよいが、他の画像の表示の妨げとならない隅の位置に表示するのが望ましい。また、制御部１００は、画面状態情報の表示位置を画面の表示方向に応じて変更してもよい。
【００６０】
また、画面状態情報２００は、画面の表示内容を示す情報を含むことにしてもよい。例えば、制御部１００は、第１のタッチ表示部１１にブラウザの画面が表示されている場合には、「１（ブ）」、メールの画面が表示されている場合には、「１（メ）」、第２のタッチ表示部２１に写真が表示されている場合には、「２（写）」、音楽アプリの画面が表示されている場合には「２（音）」を表示することにしてもよい。
【００６１】
また、制御部１００は、画面状態情報表示処理を、第１の筐体１０に対する第２の筐体２０の回転角度θが１８０度＜θ≦３６０度の場合（テント状態、ベーシック状態）に実行することにしてもよい。テント状態やベーシック状態では、ユーザが第１のタッチ表示部１１及び第２のタッチ表示部２１の一方のタッチ表示部しか視認できず、他方のタッチ表示部の表示状態を視認できない場合があるので、一方のタッチ表示部を見ることで、他方のタッチ表示部の表示状態を確認できるため、ユーザにとっての利便性が向上する。
【００６２】
また、制御部１００は、第１のタッチ表示部１１及び第２のタッチ表示部２１の少なくとも一方に対する入力操作（例えば、ジェスチャー操作を含むタッチ入力操作）に応じて、第１のタッチ表示部１１及び第２のタッチ表示部２１の少なくとも一方の画面の状態を切り替える画面切り替え処理を実行する。
【００６３】
画面の状態の切り替えは、画面の点灯、画面の消灯、及び表示画面の切り替えの少なくとも１つを含むことにしてもよい。
【００６４】
画面切り替え処理では、第１のタッチ表示部１１及び第２のタッチ表示部２１の少なくとも一方に対するタッチする指の本数に基づいて、切り替える画面の内容を選択することにしてもよい。
【００６５】
また、画面切り替え処理では、第１のタッチ表示部１１及び第２のタッチ表示部２１の少なくとも一方に対してタッチする指の本数に基づいて、プライマリ画面又はセカンダリ画面に表示を切り替えることにしてもよい。
【００６６】
また、画面切り替え処理では、第１のタッチ表示部１１及び第２のタッチ表示部２１の少なくとも一方に対してタッチする指の本数に基づいて、第１のタッチ表示部１１に表示されている（いた）画面又は第２のタッチ表示部２１に表示されている（いた）画面に表示を切り替えることにしてもよい。
【００６７】
また、画面切り替え処理では、第１のタッチ表示部１１及び第２のタッチ表示部２１の少なくとも一方に対して、第１の入力操作が行われた場合には、第１のタッチ表示部１１及び第２のタッチ表示部２１に同一の画面を表示することにしてもよい。
【００６８】
また、画面切り替え処理では、第１のタッチ表示部１１及び第２のタッチ表示部２１の少なくとも一方に対して、第２の入力操作が行われた場合には、第１のタッチ表示部１１及び第２のタッチ表示部２１に２画面表示を行うことにしてもよい。
【００６９】
図５−Ａ及び図５−Ｂは、画面切り替え処理の一例を説明するためのマトリクスを示す図である。図６〜図８は、画面切り替え処理におけるユーザの操作例と画面表示例を説明するための図である。
【００７０】
制御部１００は、図５−Ａ及び図５−Ｂのマトリクスに示すデータをテーブルとして保持しており、入力操作が行われた場合には、当該テーブルに従って、画面切り替え処理を行う。
【００７１】
図５−Ａ及び図５−Ｂにおいて、マトリクスを（行Ｘ，列Ｙ）で規定すると、縦軸（Ｘ１，０）〜（Ｘ１１，０）は、第１のタッチ表示部１１及び第２のタッチ表示部２１に対して入力操作が行われる前の画面の状態、縦軸（０，Ｙ１）〜（０，Ｙ１１）を、第１のタッチ表示部１１及び第２のタッチ表示部２１に対して、マトリクス内の入力操作が行われた後の画面の状態を示している。
【００７２】
第１のタッチ表示部１１、第２のタッチ表示部２１の画面内に何も記載されていない状態は、画面が消灯している状態を示しており、Ａと記載されている状態は、プライマリ画面が表示されている状態を示しており、Ｂと記載されている状態は、セカンダリ画面が表示されている状態を示している。
【００７３】
例えば、（Ｘ１，０）、（０、Ｙ１）は、第１のタッチ表示部１１及び第２のタッチ表示部２１の画面が消灯している状態、（Ｘ２，０）、（０、Ｙ２）は、第１のタッチ表示部１１にプライマリ画面が表示され、第２のタッチ表示部２１の画面が消灯している状態、（Ｘ３，０）、（０、Ｙ３）は、第１のタッチ表示部１１及び第２のタッチ表示部２１にプライマリ画面が表示されている状態（同じ画面が表示されている状態）、（Ｘ７，０）、（０、Ｙ７）は、第１のタッチ表示部１１及び第２のタッチパネルにプライマリ画面が２画面表示されている状態、（Ｘ１１，０）、（０、Ｙ１１）は、第１のタッチ表示部１１及び第２のタッチ表示部２１にプライマリ画面が２画面表示されている状態を示している。
【００７４】
マトリクス内の「１」、「２」、「０」は、タッチした指の本数を示しており、「１」は１本の指でのタッチ、「２」は２本の指でのタッチ、「０」は０本の指のタッチ（タッチしていないこと）及び３本以上の指のタッチを示している。１本の指のタッチ「１」はプライマリ画面を選択するためのものであり、２本の指のタッチ「２」はセカンダリ画面を選択するためのものである。画面切り替え処理では、０本及び３本以上の指のタッチ「０」では現在の画面の状態を維持する。
【００７５】
また、「長」はタッチを第１の所定時間（例えば、３秒）継続したこと、「長々」はタッチを第３の所定時間（例えば、８秒）継続したこと、「長ス」は、タッチが継続し、第２の所定期間（例えば、３〜６秒）以内にタッチした状態からのスワイプ操作（タッチを開始してから３〜６秒以内のスワイプ操作）を示している。
【００７６】
例えば、（Ｘ５，０）の画面から（０、Ｙ４）の画面に切り替えるためには、第１のタッチ表示部１１に対して１本の指のタッチを３秒間継続し「１，長」、また、第２のタッチ表示部２１に二本の指のタッチを３秒間継続する「２，長」。
【００７７】
より詳細には、１本の指のタッチが第１の所定時間（例えば、３秒）継続した場合「１，長」には、（１）画面が消灯している場合は、プライマリ画面（Ａ）を表示し、画面が点灯している場合において、セカンダリ画面（Ｂ）が表示されている場合には、プライマリ画面（Ａ）に画面を切り替え、プライマリ画面（Ａ）が表示されている場合には、プライマリ画面（Ａ）を維持し、（２）タッチが継続して第２の所定期間（例えば、３〜６秒）以内にスワイプ操作が行われると「１，長ス」、他方のタッチ表示部とプライマリ画面（Ａ）の２画面表示を行い、（３）１本の指のタッチが第３の所定期間（例えば、８秒）継続した場合には「１，長々」、画面を消灯する。
【００７８】
図６を参照して、１本の指を使用したタッチ操作と２画面表示の例を説明する。例えば、図６に示すように、第１のタッチ表示部１１及び第２のタッチ表示部２１が消灯している場合に（Ｓ１００）、第１の表示部１１に対して、１本の指でタッチ操作を３秒継続させると、制御部１００は、第１の表示部１１にプライマリ画面を表示すると共に、画面状態情報２００（第１の表示部１１の画面が点灯していることを示す「１」と、第２の表示部２１が消灯していることを示す「０」）を表示する（Ｓ１０１）。１本の指のタッチ操作が継続した状態で３〜６秒以内にタッチした状態からスワイプ操作が行われると、制御部１００は、第２のタッチ表示部２１の画面を点灯させると共に、プライマリ画面を第１のタッチ表示部１１及び第２のタッチ表示部２１に２画面表示する。また、制御部１００は、第１のタッチ表示部１１の画面状態情報２００を更新（第２の表示部２１が点灯していることを示す「２」に更新）すると共に、第２のタッチ表示部２１に画面状態情報２００（第１の表示部１１の画面が点灯していることを示す「１」と、第２の表示部２１が点灯していることを示す「２」）を表示する（Ｓ１０２）。他方、制御部１００は、１本の指のタッチ操作が８秒継続すると、第１のタッチ表示部１１の画面を消灯する（Ｓ１０３）。
【００７９】
また、図５−Ａ及び図５−Ｂにおいて、２本の指のタッチが第１の所定時間（例えば、３秒）継続した場合には「２、長」、（１）画面が消灯している場合は、セカンダリ画面（Ｂ）を表示し、（２）画面が点灯している場合において、プライマリ画面（Ａ）が表示されている場合には、セカンダリ画面（Ｂ）に画面を切り替え、セカンダリ画面（Ｂ）が表示されている場合には、セカンダリ画面（Ｂ）を維持し、（２）タッチが継続した状態で第２の所定期間（例えば、３〜６秒）以内にタッチした状態からスワイプ操作が行われると「２、長ス」、他方のタッチ表示部とセカンダリ画面の２画面表示を行い、（３）タッチ操作が第３の所定期間（例えば、８秒）継続した場合には「２、長々」、画面を消灯する。
【００８０】
図７を参照して２本の指を使用したタッチ操作と２画面表示の例を説明する。例えば、図７に示すように、第１のタッチ表示部１１及び第２のタッチ表示部２１が消灯している場合に（Ｓ１１０）、第１の表示部１１に対して、２本の指でタッチを３秒継続させると、制御部１００は、第１の表示部１１にセカンダリ画面を表示すると共に、画面状態情報２００（第１の表示部１１の画面が点灯していることを示す「１」と、第２の表示部２１が消灯していることを示す「０」）を表示する（Ｓ１１１）。２本の指のタッチ操作が継続した状態で３〜６秒以内にタッチした状態でスワイプされると、制御部１００は、第２のタッチ表示部２１の画面を点灯させると共に、セカンダリ画面を第１のタッチ表示部１１及び第２のタッチ表示部２１で２画面表示する。また、制御部１００は、第１のタッチ表示部１１の画面状態情報２００を更新（第２の表示部２１が点灯していることを示す「２」に更新）すると共に、第２のタッチ表示部２１に画面状態情報２００（第１の表示部１１の画面が点灯していることを示す「１」と、第２の表示部２１が点灯していることを示す「２」）を表示する（Ｓ１１２）。他方、制御部１００は、２本の指のタッチ操作が８秒継続すると、第１のタッチ表示部１１の画面を消灯する（Ｓ１１３）。
【００８１】
図８を参照して、第１のタッチ表示部１１及び第２のタッチ表示部２１に同じ画面を表示するためのタッチ操作の例を説明する。例えば、図８に示すように、第１のタッチ表示部１１にプライマリ画面（画面状態情報２００の「１」、「０」）が表示されており、第２のタッチ表示部２１が消灯している場合に（Ｓ１２１）、第２の表示部２１に対して、２本の指でタッチを３秒継続させると、制御部１００は、第２の表示部２１にセカンダリ画面を表示すると共に、画面状態情報２００の「１」、「２」を表示し、また、第１のタッチ表示部１１に表示されている画面状態情報２００を「１」、「２」に更新する（Ｓ１２２）。ここで、一旦、ユーザが第２のタッチ表示部２１から２本の指を離したものとする。
【００８２】
Ｓ１２３に示すように、第１のタッチ表示部１１を２本の指でタッチし、タッチが３秒継続すると、Ｓ１２６に示すように、制御部１００は、第１のタッチ表示部１１にセカンダリ画面を表示し、これにより、第１のタッチ表示部１１と第２のタッチ表示部２１にセカンダリ画面が表示される。
【００８３】
また、Ｓ１２４に示すように、第２のタッチ表示部２１を１本の指でタッチし、タッチが３秒継続すると、Ｓ１２５に示すように、制御部１００は、第２のタッチ表示部１１にプライマリ画面を表示し、これにより、第１のタッチ表示部１１と第２のタッチ表示部２１にプライマリ画面が表示される。
【００８４】
図９は、制御部１００により実行される画面切り替え処理及び画面状態情報表示処理の一例を説明するためのフローチャートである。
【００８５】
図９において、制御部１００は、第１のタッチ表示部１１又は第２のタッチ表示部２１へのタッチが行われたか否かを判断し（ステップＳ１）、第１のタッチ表示部１１又は第２のタッチ表示部２１へのタッチが行われた場合には（ステップＳ１の「Ｙｅｓ」）、制御部１００は、タッチが第１の所定時間（例えば、３秒）以上継続したか否かを判断する（ステップＳ２）。タッチが、第１の所定時間（例えば、３秒）以上継続していない場合は（ステップＳ２の「Ｎｏ」）、ステップＳ１に戻る。他方、タッチが第１の所定時間以上継続した場合には（ステップＳ２の「Ｙｅｓ」）、制御部１００は、タッチした指の本数を判断する（ステップＳ３）。
【００８６】
ステップＳ３において、タッチした指の本数が２本の場合には、制御部１００は、タッチされたタッチ表示部に対して、セカンダリ画面の維持／点灯／切替を行う（ステップＳ５）。具体的には、制御部１００は、セカンダリ画面が表示されている場合にはセカンダリ画面の表示を維持し、画面が消灯している場合には画面を点灯してセカンダリ画面を表示し、プライマリ画面が表示されている場合にはセカンダリ画面に表示を切り替える。制御部１００は、画面を点灯する場合には、画面を点灯させるタッチ表示部に画面表示状態情報を表示し、また、他方のタッチ表示部に表示されている画面状態情報を更新する。
【００８７】
他方、ステップＳ３において、タッチした指の本数がそれ以外の場合には、ステップＳ１に戻る。
【００８８】
ステップＳ６では、制御部１００は、タッチが継続している状態で第２の所定期間内（例えば、タッチを開始してから３秒〜６秒内）にスワイプが行われたか否かを判断する。タッチが継続している状態で第２の所定期間内にスワイプが行われた場合には（ステップＳ６の「Ｙｅｓ」）、制御部１００は、スワイプされた画面を２画面表示して（ステップＳ７）、ステップＳ１に戻る。他方、タッチが継続している状態で第２の所定期間内にスワイプが行われない場合には、ステップＳ８に移行する。
【００８９】
ステップＳ８では、制御部１００は、タッチが第３の所定期間（例えば、８秒）継続したか否かを判断する（ステップＳ８）。タッチが第３の所定期間（例えば、８秒）継続していない場合には（ステップＳ８の「Ｎｏ」）、ステップＳ１に戻る。タッチが第３の所定期間（例えば、８秒）継続した場合には（ステップＳ８の「Ｙｅｓ」）、制御部１００は、タッチが行われているタッチ表示部の画面を消灯する（ステップＳ９）。また、制御部１００は、画面を消灯する場合には、他方のタッチ表示部に表示されている画面状態情報を更新する。
【００９０】
なお、画面を消灯させる操作は、タッチを第３の所定時間継続させた場合に限らず、他のタッチ操作が行われた場合に、画面を消灯させることにしてもよい。例えば、制御部１００は、画面に対して所定時間内にタップ操作が所定回数行われた場合に、当該画面を消灯することにしてもよい。
【００９１】
また、タッチする指の本数に基づいて、プライマリ画面又はセカンダリ画面に表示を切り替えることとしたが、これに限らず、タッチする指の本数に基づいて、第１のタッチ表示部１１に表示されている（いた）画面又は第２のタッチ表示部２１に表示されている（いた）画面に表示を切り替えることにしてもよい。
【００９２】
また、２画面表示させるための操作は、タッチが継続している状態で第２の所定期間内にスワイプする操作に限られるものではなく、他のタッチ操作が行われた場合に、２画面表示させることにしてもよい。例えば、制御部１００は、「２」を描くタッチ操作が行われた場合に、２画面表示することにしてもよい。
【００９３】
（変形例１）
上述した画面切り替え処理では、制御部１００は、第１のタッチ表示部１１及び第２のタッチ表示部に対して略同時に同じ所定の操作が行われた場合に、第１のタッチ表示部１１及び第２のタッチ表示部に同じ画面を表示することにしてもよい。例えば、制御部１００は、第１のタッチ表示部１１及び第２のタッチ表示部２１に対して略同時に１本の指で２回タップされた場合には、第１のタッチ表示部１１の画面と同一の画面を第２のタッチ表示部２１に表示することにしてもよい。また、制御部１００は、第１のタッチ表示部１１及び第２のタッチ表示部２１に対して略同時に２本の指で２回タップされた場合には、第２のタッチ表示部２１の画面と同一の画面を第１のタッチ表示部１１に表示することにしてもよい。
【００９４】
図１０は、画面切り替え処理の他の例を説明するための図である。図１０は、携帯型情報処理装置１のテント状態を示している。同図において、Ａさんは、第１のタッチ表示部１１の画面を視認可能であるが、第２のタッチ表示部２１の画面を直接視認することができない。他方、Ｂさんは、第１のタッチ表示部１１の画面を視認可能であるが、第２のタッチ表示部２１の画面を直接視認することができない。この場合に、例えば、Ｂさんに、Ａさんと同じ画面を見せたい場合は、図１０に示すように、Ａさんと、Ｂさんは、それぞれ、第１のタッチ表示部１１と第２のタッチ表示部２１に対して略同時に１本の指で２回タップすると、第２のタッチ表示部２１に第１のタッチ表示部１１と同じ画面が表示される。他方、Ａさんに、Ｂさんと同じ画面を見せたい場合は、Ａさんと、Ｂさんは、それぞれ、第１のタッチ表示部１１と第２のタッチ表示部２１に対して略同時に２本の指で２回タップすると、第１のタッチ表示部２１に第２のタッチ表示部２１と同じ画面が表示される（不図示）。
【００９５】
（変形例２）
制御部１００は、携帯型情報処理装置１が手（片手または両手）で把持されている場合には、上述の画面切り替え処理を実行しないことにしてもよい。ユーザが携帯型情報処理装置１を手で把持している状態では、指がタッチ表示部に所定時間以上触れている場合があるので、ユーザの意図に反して画面の切り替えが行われるのを防止するためである。ユーザの把持を検出する方法としては、例えば、タッチ表示部の周囲に配置されている筐体に接触センサを設けて接触センサで手の接触を検出して把持を検出する方法、タッチ表示部と筐体との境界部分がタッチされたことを検出して把持を検出する方法、タッチ表示部に対する接触面積が所定値以上の場合に把持を検出する方法、これらの方法の組み合わせ、または、これらの少なくとも１つの方法での検出状態が所定時間以上継続した場合に把持と判断する方法等の各種の方法を使用することができる。
【００９６】
また、制御部１００は、第１の筐体１０に対する第２の筐体２０の回転角度θが１８０度＜θ≦３６０度の場合（テント状態、ベーシック状態）において、携帯型情報処理装置１が手（片手または両手）で把持されている場合に、上述の画面切り替え処理を実行しないことにしてもよい。
【００９７】
図１１−Ａ及び図１１−Ｂは、携帯型情報処理装置１が手で把持されている状態を説明するための図である。同図に示す例は、片手で携帯型情報処理装置１（テント状態、ベーシック状態）を把持している状態を示しており、前面側が親指で、背面側が残りの指（２〜４本）で把持された状態を示している。図１１−Ａでは、テント状態において、第１のタッチ表示部１１ａ及び第１の筐体１０の第１の面１０Ａに親指が触れており、第１の筐体１０の第２の面１０Ｂに残りの指（２〜４本）が接触している。この状態では、親指（１本の指）が第１のタッチ表示部１１ａに所定時間以上触れている可能性があるので、上述したように、画面切り替え処理を実行しないのが望ましい。なお、図１１−Ａの例に限定されず、テント状態において、第２の筐体２０の第２の面２０Ｂに親指が触れており、第２の筐体のタッチ表示部２１ａ及び第２の筐体２０の第１の面２０Ａに残りの指（２〜４本）が接触している状態でも、同様の可能性があるので、上述したように、画面切り替えを実行しないのが望ましい。
【００９８】
図１１−Ｂでは、ベーシック状態において、第１のタッチ表示部１１ａ及び第１の筐体１０の第１の面１０Ａに親指が触れており、第２のタッチ表示部２１ａ及び第２の筐体２０の第１の面２０Ａに残りの指（２〜４本）が接触している。この状態では、親指（１本の指）が第１のタッチ表示部１１ａに、残りの指（２〜４本）が第２のタッチ表示部２１Ａに、所定時間以上触れている可能性があるので、上述したように、画面切り替え処理を実行しないのが望ましい。
【００９９】
制御部１００は、例えば、一方のタッチ表示部が一本の指でタッチされ、かつ、他方のタッチ表示部が２〜４本の指でタッチされた状態が所定時間継続した場合には、携帯型情報処理装置１が手で把持されていると判断して、上述の画面切り替え処理を実行しないことにしてもよい。
【０１００】
以上説明したように、本実施の形態によれば、制御部１００は、第１のタッチ表示部１１及び第２のタッチ表示部２１に、少なくとも他方のタッチ表示部の画面の表示状態を示す画面状態情報を表示する画面状態情報表示処理を実行することとしたので、ユーザは、一方のタッチ表示部を見るだけで、他方のタッチ表示部の画面の表示状態を知ることができ、２つの画面のユーザビリティを向上させることが可能となる。
【０１０１】
また、本実施の形態によれば、画面状態情報は、画面の点灯及び消灯を示す情報を含むこととしたので、ユーザは、一方のタッチ表示部を見るだけで、他方のタッチ表示部の画面の点灯及び消灯の状態を知ることが可能となる。
【０１０２】
また、本実施の形態によれば、画面状態情報は、画面の表示内容を示す情報を含むこととしたので、ユーザは、一方のタッチ表示部を見るだけで、他方のタッチ表示部の画面に何が表示されているかを知ることが可能となる。
【０１０３】
また、本実施の形態によれば、制御部１００は、画面状態情報表示処理を、第１の筐体１０に対する第２の筐体２０の回転角度θが１８０度＜θ≦３６０度の場合（テント状態、ベーシック状態）に実行することにしたので、ユーザが一方のタッチ表示部しか直接視認できない場合でも、他方のタッチ表示部の画面の表示状態を確認することが可能となる。
【０１０４】
また、本実施の形態によれば、制御部１００は、第１のタッチ表示部１１及び第２のタッチ表示部２１の少なくとも一方に対する入力操作に応じて、第１のタッチ表示部１１及び第２のタッチ表示部２１の少なくとも一方の画面の状態を切り替える画面切り替え処理を実行することとしたので、ユーザは、２つの画面を有する携帯型情報処理装置において、簡単な操作で画面を切り替えることができ、２つの画面に関するユーザビリティを向上させることが可能となる。
【０１０５】
また、本実施の形態によれば、画面の状態の切り替えは、画面の点灯、画面の消灯、及び表示画面の切り替えの少なくとも１つを含むこととしたので、ユーザは、簡単な操作で、画面の点灯、画面の消灯、及び表示画面の切り替えの少なくとも１つを切り替えることが可能となる。
【０１０６】
また、本実施の形態によれば、画面切り替え処理では、第１のタッチ表示部１１及び第２のタッチ表示部２１の少なくとも一方に対するタッチする指の本数に基づいて、切り替える画面の内容を選択することとしたので、ユーザは、タッチする指の本数に基づいて、切り替える画面の内容を選択することが可能となる。
【０１０７】
また、本実施の形態によれば、画面切り替え処理では、第１のタッチ表示部１１及び第２のタッチ表示部２１の少なくとも一方に対してタッチする指の本数に基づいて、プライマリ画面又はセカンダリ画面に表示を切り替えることとしたので、ユーザは、タッチする指の本数に基づいて、プライマリ画面又はセカンダリ画面に表示を切り替えることが可能となる。
【０１０８】
また、本実施の形態によれば、画面切り替え処理では、第１のタッチ表示部１１及び第２のタッチ表示部２１の少なくとも一方に対してタッチする指の本数に基づいて、第１のタッチ表示部１１に表示されている（いた）画面又は第２のタッチ表示部２１に表示されている（いた）画面に表示を切り替えることとしたので、ユーザは、タッチする指の本数に基づいて、第１のタッチ表示部１１に表示されている（いた）画面又は第２のタッチ表示部２１に表示されている（いた）画面に表示を切り替えることが可能となる。
【０１０９】
また、本実施の形態によれば、画面切り替え処理では、第１のタッチ表示部１１及び第２のタッチ表示部２１の少なくとも一方に対する第１の入力操作が行われた場合には、第１のタッチ表示部１１及び第２のタッチ表示部２１に同一の画面を表示することとしたので、ユーザは簡単な操作で同一の画面を表示することが可能となる。
【０１１０】
また、本実施の形態によれば、画面切り替え処理では、第１のタッチ表示部１１及び第２のタッチ表示部２１の少なくとも一方に対する第２の入力操作が行われた場合には、第１のタッチ表示部１１及び第２のタッチ表示部２１に２画面表示を行うこととしたので、ユーザは簡単な操作で第１のタッチ表示部１１及び第２のタッチ表示部２１に２画面表示を行うことが可能となる。
【符号の説明】
【０１１１】
１  携帯型情報処理装置
１０  第１の筐体
１０Ａ  第１の面
１０Ｂ  第２の面
１１  第１のタッチ表示部
１１ａ  タッチパネル
１１ｂ  表示部
１５  スピーカー
１７  第１の加速度センサ
２０  第２の筐体
２０Ａ  第１の面
２０Ｂ  第２の面
２１  第１のタッチ表示部
２１ａ  タッチパネル
２１ｂ  表示部
２２  カメラ
２７  第２の加速度センサ
１００  制御部
１０１  メモリ
１０２  記憶部
１０３  電源部  
【要約】
【課題】２画面を有する携帯型情報処理装置において、２つの画面に関するユーザビリティを向上させることを目的とする。
【課題を解決するための手段】携帯型情報処理装置は、第１のタッチ表示部が設けられた第１の筐体と、第２のタッチ表示部が設けられた第２の筐体と、前記第１の筐体と前記第２の筐体とを回転可能に連結する連結部と、前記第１のタッチ表示部及び第２のタッチ表示部に、他方のタッチ表示部の画面の表示状態を示す画面状態情報を表示する制御手段と、を備えている。
【選択図】図１【図１】
0005966059.tif 000002
【図２−Ａ】
0005966059.tif 000003
【図２−Ｂ】
0005966059.tif 000004
【図２−Ｃ】
0005966059.tif 000005
【図２−Ｄ】
0005966059.tif 000006
【図２−Ｅ】
0005966059.tif 000007
【図２−Ｆ】
0005966059.tif 000008
【図３】
0005966059.tif 000009
【図４】
0005966059.tif 000010
【図５−Ａ】
0005966059.tif 000011
【図５−Ｂ】
0005966059.tif 000012
【図６】
0005966059.tif 000013
【図７】
0005966059.tif 000014
【図８】
0005966059.tif 000015
【図９】
0005966059.tif 000016
【図１０】
0005966059.tif 000017
【図１１−Ａ】
0005966059.tif 000018
【図１１−Ｂ】
0005966059.tif 000019